(57)【特許請求の範囲】
【請求項１】
複数の吐出孔、該複数の吐出孔とそれぞれ繋がっている複数の加圧室、およびダミー加圧室を有する流路部材と、該流路部材の上に配置されている、前記複数の加圧室をそれぞれ加圧する複数の加圧部を有する基板とを含んでいる液体吐出ヘッドであって、
前記流路部材は、積層された複数のプレートを含んでおり、該複数のプレートは、一つの加圧室プレートおよび一つのダミー加圧室プレートを含んでおり、
前記加圧室プレートは、孔あるいは溝を有し、当該孔あるいは溝の側面が前記加圧室の側面とされており、かつ当該孔あるいは溝の開口が加圧室開口とされており、
前記ダミー加圧室プレートは、孔あるいは溝を有し、当該孔あるいは溝の側面が前記ダミー加圧室の側面とされており、かつ当該孔あるいは溝の開口がダミー加圧室開口とされており、
複数の前記加圧室開口は前記基板により塞がれており、前記ダミー加圧室開口は前記加圧室プレート、もしくは他の前記プレートにより塞がれていることを特徴とする液体吐出ヘッド。
【請求項２】
前記ダミー加圧室は、前記複数の加圧室からなる加圧室群よりも外側に配置されていることを特徴とする請求項１に記載の液体吐出ヘッド。
【請求項３】
前記ダミー加圧室は、少なくとも一部が前記基板と重ならないように配置されていることを特徴とする請求項１または２に記載の液体吐出ヘッド。
【請求項４】
前記流路部材は、前記複数の加圧室および前記ダミー加圧室の少なくとも一方に液体を供給する共通供給流路と、前記複数の加圧室および前記ダミー加圧室の少なくとも一方から液体を回収する共通回収流路とを有することを特徴とする請求項１〜３のいずれかに記載の液体吐出ヘッド。
【請求項５】
前記ダミー加圧室プレートは、前記加圧室プレートの前記基板と反対側に直接積層されており、前記ダミー加圧室プレートには、前記加圧室に液体を供給する流路および前記加圧室から液体を回収する流路をなす孔が設けられており、該流路は液体が上下方向に移動する流路であることを特徴とする請求項４に記載の液体吐出ヘッド。
【請求項６】
前記加圧室プレートの前記基板と反対側に直接積層されている他の前記プレートから前記ダミー加圧室プレートまでの各プレートには、それぞれ前記加圧室に液体を供給する流路および前記加圧室から液体を回収する流路をなす孔が設けられており、いずれの流路も液体が上下方向に移動する流路であることを特徴とする請求項４に記載の液体吐出ヘッド。
【請求項７】
前記加圧室の高さと前記ダミー加圧室の高さとが略同じであることを特徴とする請求項４〜６のいずれかに記載の液体吐出ヘッド。
【請求項８】
複数の吐出孔、該複数の吐出孔とそれぞれ繋がっている複数の加圧室、およびダミー加圧室を有する流路部材と、該流路部材の上に配置されている、前記複数の加圧室をそれぞれ加圧する複数の加圧部を有する基板とを含んでいる液体吐出ヘッドであって、
前記流路部材は、積層された複数のプレートを含んでおり、該複数のプレートは、一つの加圧室プレートを含んでおり、
該加圧室プレートは、孔あるいは溝を有し、当該孔あるいは溝の側面が前記加圧室の側面とされており、かつ当該孔あるいは溝の開口が前記加圧室開口とされており、
複数の前記加圧室開口は前記基板により塞がれており、
前記ダミー加圧室は、前記加圧室プレートの前記基板と反対側の面に設けられた溝と、該溝を塞いでいる他の前記プレートとにより構成されていることを特徴とする液体吐出ヘッド。
【請求項９】
前記ダミー加圧室は、前記複数の加圧室からなる加圧室群よりも外側に配置されていることを特徴とする請求項８に記載の液体吐出ヘッド。
【請求項１０】
前記ダミー加圧室は、少なくとも一部が前記基板と重ならないように配置されていることを特徴とする請求項８または９に記載の液体吐出ヘッド。
【請求項１１】
前記流路部材は、前記複数の加圧室に液体を供給する共通供給流路と、前記複数の加圧室から液体を回収する共通回収流路とを有することを特徴とする請求項８〜１０のいずれかに記載の液体吐出ヘッド。
【請求項１２】
前記加圧室プレートの前記基板と反対側に直接積層されている他の前記プレートから前記ダミー加圧室プレートまでの各プレートには、前記加圧室に液体を供給する流路および前記加圧室から液体を回収する流路をなす孔が設けられており、いずれの流路も液体が上下方向に移動する流路であることを特徴とする請求項１１に記載の液体吐出ヘッド。
【請求項１３】
請求項１〜１２のいずれかに記載の液体吐出ヘッドと、記録媒体を前記液体吐出ヘッドに対して搬送する搬送部と、前記液体吐出ヘッドを制御する制御部を備えていることを特徴とする記録装置。
【発明の詳細な説明】
【技術分野】
【０００１】
本発明は、液体吐出ヘッド、およびそれを用いた記録装置に関する。
【背景技術】
【０００２】
従来、印刷用ヘッドとして、例えば、液体を記録媒体上に吐出することによって、各種の印刷を行なう液体吐出ヘッドが知られている。液体吐出ヘッドは、例えば、液体を吐出する吐出孔と、吐出孔から液体が吐出されるように液体を加圧する加圧室と、加圧室に液体を供給する共通流路と有する流路部材に、加圧室を加圧する圧電アクチュエータ基板を積層し、流路部材の上面に開口している加圧室の開口を塞いだものが知られている。また、そのような液体吐出ヘッドにおいて、流路部材にダミー加圧室を配置し、流路部材の上面に開口しているダミー加圧室の開口を圧電アクチュエータ基板で塞いだものが知られている（例えば、特許文献１を参照。）。
【先行技術文献】
【特許文献】
【０００３】
【特許文献１】特開２０１４−２４２７０号公報
【発明の概要】
【発明が解決しようとする課題】
【０００４】
特許文献１に記載されているような液体吐出ヘッドでは、ダミー加圧室を塞いでいる部分の圧電アクチュエータ基板に破損などが生じた際に、その部分から液体が漏れるおそれがあった。液体が漏れることで、流路の特性が変わり、吐出特性（吐出量や吐出速度）が変動したり、漏れた液体により圧電アクチュエータ基板に設けられた電極間がショートするといった問題があった。【０００５】
したがって、本発明の目的は、ダミー加圧室の信頼性を高くできる液体吐出ヘッド、およびそれを用いた記録装置を提供することにある。
【課題を解決するための手段】
【０００６】
本発明の液体吐出ヘッドは、複数の吐出孔、該複数の吐出孔とそれぞれ繋がっている複数の加圧室、およびダミー加圧室を有する流路部材と、該流路部材の上に配置されている、前記複数の加圧室をそれぞれ加圧する複数の加圧部を有する基板とを含んでいる液体吐出ヘッドであって、前記流路部材は、積層された複数のプレートを含んでおり、該複数のプレートは、一つの加圧室プレートおよび一つのダミー加圧室プレートを含んでおり、前記加圧室プレートは、孔あるいは溝を有し、当該孔あるいは溝の側面が前記加圧室の側面とされており、かつ当該孔あるいは溝の開口が加圧室開口とされており、前記ダミー加圧室プレートは、孔あるいは溝を有し、当該孔あるいは溝の側面が前記ダミー加圧室の側面とされており、かつ当該孔あるいは溝の開口がダミー加圧室開口とされており、複数の前記加圧室開口は前記基板により塞がれており、前記ダミー加圧室開口は前記加圧室プレート、もしくは他の前記プレートにより塞がれていることを特徴とする。【０００７】
また、本発明の液体吐出ヘッドは、複数の吐出孔、該複数の吐出孔とそれぞれ繋がっている複数の加圧室、およびダミー加圧室を有する流路部材と、該流路部材の上に配置されている、前記複数の加圧室をそれぞれ加圧する複数の加圧部を有する基板とを含んでいる液体吐出ヘッドであって、前記流路部材は、積層された複数のプレートを含んでおり、該複数のプレートは、一つの加圧室プレートを含んでおり、該加圧室プレートは、孔あるいは溝を有し、当該孔あるいは溝の側面が前記加圧室の側面とされており、かつ当該孔あるいは溝の開口が前記加圧室開口とされており、複数の前記加圧室開口は前記基板により塞がれており、前記ダミー加圧室は、前記加圧室プレートの前記基板と反対側の面に設けられた溝と、該溝を塞いでいる他の前記プレートとにより構成されていることを特徴とする。【０００８】
さらに、本発明の記録装置は、前記液体吐出ヘッドと、記録媒体を前記液体吐出ヘッドに対して搬送する搬送部と、前記液体吐出ヘッドを制御する制御部を備えていることを特徴とする。
【発明の効果】
【０００９】
本発明の液体吐出ヘッドによれば、ダミー加圧室の信頼性を高くできる。
【図面の簡単な説明】
【００１０】
【図１】（ａ）は、本発明の一実施形態に係る液体吐出ヘッドを含む記録装置の側面図であり、（ｂ）は平面図である。
【図２】（ａ）は、図１の液体吐出ヘッドの要部であるヘッド本体の平面図であり、（ｂ）は、（ａ）から第２流路部材を除いた平面図である。
【図３】図２（ｂ）の一部の拡大平面図である。
【図４】図２（ｂ）の一部の拡大平面図である。
【図５】（ａ）は、図４のＶ−Ｖ線に沿った部分縦断面図であり、（ｂ）は、図４のＸ−Ｘ線に沿った部分縦断面図である。
【図６】図２（ａ）のヘッド本体の部分縦断面図ある。
【図７】本発明の他の実施形態のヘッド本体の部分縦断面図である。
【発明を実施するための形態】
【００１１】
図１（ａ）は、本発明の一実施形態に係る液体吐出ヘッド２を含む記録装置であるカラーインクジェットプリンタ１（以下で単にプリンタと言うことがある）の概略の側面図であり、図１（ｂ）は、概略の平面図である。プリンタ１は、記録媒体である印刷用紙Ｐをガイドローラ８２Ａから搬送ローラ８２Ｂへと搬送することにより、印刷用紙Ｐを液体吐出ヘッド２に対して相対的に移動させる。制御部８８は、画像や文字のデータに基づいて、液体吐出ヘッド２を制御して、記録媒体Ｐに向けて液体を吐出させ、印刷用紙Ｐに液滴を着弾させて、印刷用紙Ｐに印刷などの記録を行なう。
【００１２】
本実施形態では、液体吐出ヘッド２はプリンタ１に対して固定されており、プリンタ１はいわゆるラインプリンタとなっている。本発明の記録装置の他の実施形態としては、液体吐出ヘッド２を、印刷用紙Ｐの搬送方向に交差する方向、例えば、ほぼ直交する方向に往復させるなどして移動させる動作と、印刷用紙Ｐの搬送を交互に行なう、いわゆるシリアルプリンタが挙げられる。
【００１３】
プリンタ１には、印刷用紙Ｐとほぼ平行となるように平板状のヘッド搭載フレーム７０（以下で単にフレームと言うことがある）が固定されている。フレーム７０には図示しない２０個の孔が設けられており、２０個の液体吐出ヘッド２がそれぞれの孔の部分に搭載されていて、液体吐出ヘッド２の、液体を吐出する部位が印刷用紙Ｐに面するようになっている。液体吐出ヘッド２と印刷用紙Ｐとの間の距離は、例えば０．５〜２０ｍｍ程度とされる。５つの液体吐出ヘッド２は、１つのヘッド群７２を構成しており、プリンタ１は、４つのヘッド群７２を有している。
【００１４】
液体吐出ヘッド２は、図１（ａ）の手前から奥へ向かう方向、図１（ｂ）の上下方向に細長い長尺形状を有している。この長い方向を長手方向と呼ぶことがある。１つのヘッド群７２内において、３つの液体吐出ヘッド２は、印刷用紙Ｐの搬送方向に交差する方向、例えば、ほぼ直交する方向に沿って並んでおり、他の２つの液体吐出ヘッド２は搬送方向に沿ってずれた位置で、３つの液体吐出ヘッド２の間にそれぞれ一つずつ並んでいる。液体吐出ヘッド２は、各液体吐出ヘッド２で印刷可能な範囲が、印刷用紙Ｐの幅方向に（印刷用紙Ｐの搬送方向に交差する方向に）繋がるように、あるいは端が重複するように配置されており、印刷用紙Ｐの幅方向に隙間のない印刷が可能になっている。
【００１５】
４つのヘッド群７２は、記録用紙Ｐの搬送方向に沿って配置されている。各液体吐出ヘッド２には、図示しない液体タンクから液体、例えば、インクが供給される。１つのヘッド群７２に属する液体吐出ヘッド２には、同じ色のインクが供給されるようになっており、４つのヘッド群７２で４色のインクが印刷できる。各ヘッド群７２から吐出されるインクの色は、例えば、マゼンタ（Ｍ）、イエロー（Ｙ）、シアン（Ｃ）およびブラック（Ｋ）である。このようなインクを、制御部８８で制御して印刷すれば、カラー画像が印刷できる。
【００１６】
プリンタ１に搭載されている液体吐出ヘッド２の個数は、単色で、１つの液体吐出ヘッド２で印刷可能な範囲を印刷するのなら１つでもよい。ヘッド群７２に含まれる液体吐出ヘッド２の個数や、ヘッド群７２の個数は、印刷する対象や印刷条件により適宜変更できる。例えば、さらに多色の印刷をするためにヘッド群７２の個数を増やしてもよい。また、同色で印刷するヘッド群７２を複数配置して、搬送方向に交互に印刷すれば、同じ性能の液体吐出ヘッド２を使用しても搬送速度を速くできる。これにより、時間当たりの印刷面積を大きくすることができる。また、同色で印刷するヘッド群７２を複数準備して、搬送方向と交差する方向にずらして配置して、印刷用紙Ｐの幅方向の解像度を高くしてもよい。
【００１７】
さらに、色の付いたインクを印刷する以外に、印刷用紙Ｐの表面処理をするために、コーティング剤などの液体を印刷してもよい。
【００１８】
プリンタ１は、記録媒体である印刷用紙Ｐに印刷を行なう。印刷用紙Ｐは、給紙ローラ８０Ａに巻き取られた状態になっており、２つのガイドローラ８２Ａの間を通った後、フレーム７０に搭載されている液体吐出ヘッド２の下側を通り、その後２つの搬送ローラ８２Ｂの間を通り、最終的に回収ローラ８０Ｂに回収される。印刷する際には、搬送ローラ８２Ｂを回転させることで印刷用紙Ｐは、一定速度で搬送され、液体吐出ヘッド２によって印刷される。回収ローラ８０Ｂは、搬送ローラ８２Ｂから送り出された印刷用紙Ｐを巻き取る。搬送速度は、例えば、５０ｍ／分とされる。各ローラは、制御部８８によって制御されてもよいし、人によって手動で操作されてもよい。
【００１９】
記録媒体は、印刷用紙Ｐ以外に、ロール状の布などでもよい。また、プリンタ１は、印刷用紙Ｐを直接搬送する代わりに、搬送ベルトを直接搬送して、記録媒体を搬送ベルト上に置いて搬送してもよい。そのようにすれば、枚葉紙や裁断された布、木材、タイルなどを記録媒体にできる。さらに、液体吐出ヘッド２から導電性の粒子を含む液体を吐出するようにして、電子機器の配線パターンなどを印刷してもよい。またさらに、液体吐出ヘッド２から反応容器などに向けて所定量の液体の化学薬剤や化学薬剤を含んだ液体を吐出させて、反応させるなどして、化学薬品を作製してもよい。
【００２０】
また、プリンタ１に、位置センサ、速度センサ、温度センサなどを取り付けて、制御部８８が、各センサからの情報から分かるプリンタ１各部の状態に応じて、プリンタ１の各部を制御してもよい。例えば、液体吐出ヘッド２の温度や液体タンクの液体の温度、液体タンクの液体が液体吐出ヘッド２に加えている圧力などが、吐出される液体の吐出量や吐出速度などの吐出特性に影響を与えている場合などに、それらの情報に応じて、液体を吐出させる駆動信号を変えるようにしてもよい。
【００２１】
次に、本発明の一実施形態に係る液体吐出ヘッド２について説明する。図２（ａ）は、図１に示された液体吐出ヘッド２の要部であるヘッド本体２ａを示す平面図である。図２（ｂ）は、ヘッド本体２ａから第２流路部材６を除いた状態の平面図である。図３および図４は、図２（ｂ）の拡大平面図である。図５（ａ）は、図４のＶ−Ｖ線に沿った部分縦断面図である。図５（ｂ）は、ヘッド本体２ａの、第１端部流路３０付近の部分縦断面図である。図５（ｂ）は、図示しないがＶ−Ｖ線のように折れ曲がった線に沿った部分縦断面図である。図６は、ヘッド本体２ａの第１共通流路２０の開口２０ａ付近における、第１共通流路２０に沿った部分縦断面図である。
【００２２】
各図は、図面を分かり易くするために次のように描いている。図２〜４では、他のものの下方にあって破線で描くべき流路などを実線で描いている。図２（ａ）では、第１流路部材４内の流路は、省略し、圧電アクチュエータ基板４０についても、その外形と個別電極本体４４ａの配置のみを示している。
【００２３】
液体吐出ヘッド２は、ヘッド本体２ａ以外に、金属製の筐体や、ドライバＩＣ、配線基板などを含んでいてもよい。また、ヘッド本体２ａは、第１流路部材４と、第１流路部材４に液体を供給する第２流路部材６と、加圧部である変位素子５０が作り込まれている圧電アクチュエータ基板４０とを含んでいる。ヘッド本体２ａは、一方方向に長い平板形状を有しており、その方向を長手方向と言うことがある。また、第２流路部材６は、支持部材の役割を果たしており、ヘッド本体２ａは、第２流路部材６の長手方向の両端部のそれぞれでフレーム７０に固定される。
【００２４】
ヘッド本体２ａを構成する第１流路部材４は、平板状の形状を有しており、その厚さは０．５〜２ｍｍ程度である。第１流路部材４の第１の主面である加圧室面４−１には、加圧室１０が平面方向に多数並んで配置されている。第１流路部材４の第２の主面であり、加圧室面４−１の反対側の面である吐出孔面４−２には、液体が吐出される吐出孔８が平面方向に多数並んで配置されている。吐出孔８は、それぞれ加圧室１０と繋がっている。以下において、加圧室面４−１は、吐出孔面４−２に対して、上方に位置しているものとして説明をする。
【００２５】
第１流路部材４には、複数の第１共通流路２０および複数の第２共通流路２４が、同じ方向に沿って伸びるように配置されている。これら第１共通流路２０および第２共通流路２４に沿った方向が第１方向である。また、第１共通流路２０と第２共通流路２４とは、第１方向と交差する方向である第２方向に交互に並んでいる。なお、第２方向は、ヘッド本体２ａの長手方向と同じ方向である。
【００２６】
第１共通流路２０の両側に沿って加圧室１０が並んでおり、片側１列ずつ、合計２列の加圧室列１１Ａを構成している。第１共通流路２０とその両側に並んでいる加圧室１０とは、第１個別流路１２を介して繋がっている。なお、以下では、第１共通流路２０と第２共通流路２４とを合わせて、共通流路と言うことがある。また、複数の共通流路は、第２方向に並んで、共通流路群を構成している。
【００２７】
第２共通流路２４の両側に沿って加圧室１０が並んでおり、片側１列ずつ、合計２列の加圧室列１１Ａを構成している。第２共通流路２４とその両側に並んでいる加圧室１０とは、個別排出流路である第２個別流路１４を介して繋がっている。
【００２８】
別の表現をすれば、加圧室１０は仮想線上に並んで配置されており、仮想線の一方の側に沿って第１共通流路２０が伸びており、仮想線の他方の側に沿って第２共通流路２４が伸びている。本実施形態では、加圧室１０が並んでいる仮想線は直線状であるが、曲線状や折れ線状であってもよい。
【００２９】
以上のような構成により、第１流路部材４においては、第２共通流路２４に供給された液体は、第２共通流路２４に沿って並んでいる加圧室１０に流れ込み、一部の液体は吐出孔８から吐出され、他の一部の液体は、加圧室１０に対して第２共通流路２４と反対側に位置している第１共通流路２０に流れ込み、第１流路部材４の外に排出される。
【００３０】
第１共通流路２０の両側に第２共通流路２４が配置されており、第２共通流路２４の両側に第１共通流路２０が配置されていることにより、１つの加圧室列１１Ａに対して、１つの第１共通流路２０および１つの第２共通流路２４が繋がっており、別の加圧室列１１Ａに対して、別の第１共通流路２０および別の第２共通流路２４が繋がっている場合と比較して、第１共通流路２０および第２共通流路２４の数を約半分にできるので好ましい。第１共通流路２０および第２共通流路２４の数が少なくて済む分、加圧室１０の数を増やして高解像度化したり、第１共通流路２０や第２共通流路２４を太くして、吐出孔８からの吐出特性の差を小さくしたり、ヘッド本体２ａの平面方向の大きさを小さくすることができる。
【００３１】
第１共通流路２０に繋がっている第１個別流路１２の第１共通流路２０側の部分に加わる圧力は、圧力損失の影響で、第１共通流路２０に第１個別流路１２が繋がっている位置（主に第１方向における位置）により変わる。第２共通流路２４に繋がっている第２個別流路１４側の部分に加わる圧力は、圧力損失の影響で、第２共通流路２４に第２個別流路１４が繋がっている位置（主に第１方向における位置）により変わる。第１共通流路２０の外部への開口２０ａを第１方向の一方の端部に配置し、第２共通流路２４の外部への開口２４ａを第１方向の他方の端部に配置すれば、各第１個別流路１２および各第２個別流路１４の配置による圧力の差が打ち消されるように作用し、各吐出孔８に加わる圧力の差を小さくできる。なお、第１共通流路２０の開口２０ａ、および第２共通流路２４の開口２４ａはともに、加圧室面４−１に開口している。
【００３２】
吐出しない状態では、吐出孔８には液体のメニスカスが保持されている。吐出孔８において液体の圧力が負圧（液体を第１流路部材４に引き込もうとする状態）になっていることで、液体の表面張力とつり合ってメニスカスを保持できる。液体の表面張力は、液体の表面積を小さくしようとするので、正圧であっても圧力が小さければ、メニスカスを保持できる。正圧が大きくなれば、液体はあふれ出し、負圧が大きくなれば、液体が第１流路部材４内に引き込まれてしまい、液体が吐出可能な状態を維持できない。そのため、第２共通流路２４から第１共通流路２０に液体を流した際における、吐出孔８での液体の圧力の、吐出孔８毎の差が大きくなり過ぎないようにする必要がある。
【００３３】
第１共通流路２０の吐出孔面４−２側の壁面は、第１ダンパ２８Ａとなっている。第１ダンパ２８Ａの一方の面は、第１共通流路２０に面しており、他方の面はダンパ室２９に面している。ダンパ室２９があることにより、第１ダンパ２８Ａは変形可能になっており、変形することで第１共通流路２０の体積を変えることができる。液体を吐出させるために加圧室１０内の液体が加圧されると、その圧力の一部は、液体を通じて第１共通流路２０に伝わってくる。これにより、第１共通流路２０内の液体が振動し、その振動が、元の加圧室１０や、他の加圧室１０に伝わって、液体の吐出特性を変動させる流体クロストークが生じることがある。第１ダンパ２８Ａが存在すると、第１共通流路２０に伝わってきた液体の振動で第１ダンパ２８Ａが振動し、減衰することで、第１共通流路２０内の液体の振動は持続され難くなるので、流体クロストークの影響を小さくできる。また、第１ダンパ２８Ａは、液体の給排を安定化させる役目も果たす。
【００３４】
第２共通流路２４の加圧室面４−１側の壁面は、第２ダンパ２８Ｂとなっている。第２ダンパ２８Ｂの一方の面は、第２共通流路２４に面しており、他方の面はダンパ室２９に面している。第２ダンパ２８Ｂも、第１ダンパ２８Ａと同様に、流体クロストークの影響を小さくできる。また、第２ダンパ２８Ｂは、液体の給排を安定化させる役目も果たす。
【００３５】
加圧室１０は、加圧室面４−１に面して配置されており、変位素子５０からの圧力を受ける加圧室本体１０ａと、加圧室本体１０ａの下から吐出孔面４−２に開口している吐出孔８に繋がる部分流路であるディセンダ１０ｂとを含んだ中空の領域である。加圧室本体１０ａは、直円柱形状であり、平面形状は円形状である。平面形状が円形状であることにより変位素子５０が同じ力で変形させた場合の変位量、および変位により生じる加圧室１０の体積変化を大きくできる。ディセンダ１０ｂは、直径が加圧室本体１０ａより小さい、直円柱形状であり、断面形状は円形状である。また、ディセンダ１０ｂは、加圧室面４−１から見たときに、加圧室本体１０ａ内に納まっている。
【００３６】
複数ある加圧室１０は、加圧室面４−１において、千鳥状に配置されている。複数ある加圧室１０は、第１方向に沿った複数の加圧室列１１Ａを構成している。各加圧室列１１Ａでは、加圧室１０が、ほぼ等間隔で配置されている。隣り合っている加圧室列１１Ａに属する加圧室１０は、第１方向に前記間隔の約半分ずれて配置されている。別の表現をすれば、ある加圧室列１１Ａに属する加圧室１０は、その隣に位置する加圧室列１１Ａに属する、連続する２つの加圧室１０に対して、第１方向のほぼ中央に位置している。
【００３７】
これにより、１つ置きの加圧室列１１Ａに属している加圧室１０は、第２方向に沿って配置されることになり、加圧室行１１Ｂを構成している。
【００３８】
また、第１流路部材４には、第１ダミー加圧室１０Ｄ１および第２ダミー加圧室１０Ｄ２が配置されている。これらを合わせてダミー加圧室と呼ぶことがある。第１ダミー加圧室１０Ｄ１および第２ダミー加圧室１０Ｄ２の詳細については後述する。
【００３９】
本実施形態では、第１共通流路２０は５１本、第２共通流路２４は５０本であり、加圧室列１１Ａは１００列である。なお、ここでは、後述のダミー加圧室のみで構成されているダミー加圧室列１１Ｄは、上述の加圧室列１１Ａの数に含めていない。また、直接的に繋がっているのがダミー加圧室だけである第２共通流路２４は、上述の第２共通流路２４の数に含めていない。また、各加圧室列１１Ａには１６個の加圧室１０が含まれている。ただし、第２方向の端に位置する加圧室列１１Ａには、８個の加圧室１０および８個のダミー加圧室が含まれている。上述のように、加圧室１０は千鳥状に配置されているため、加圧室行１１Ｂの行数は、３２行である。
【００４０】
複数ある加圧室１０は、吐出孔面４−２において、第１方向および第２方向に沿った格子状に配置されている。複数ある吐出孔８は、第１方向に沿った複数の吐出孔列９Ａを構成している。吐出孔列９Ａと加圧室列１１Ａとは、ほぼ同じ位置に配置されている。
【００４１】
加圧室１０の面積重心と、加圧室１０と繋がっている吐出孔８とは第１方向にずらされて配置されている。１つの加圧室列１１Ａ内では、ずらされる方向は同じ方向であり、隣り合う加圧室列１１Ａでは、ずらされる方向は逆方向になっている。これにより、２行の加圧室行１１Ｂに属する加圧室１０から繋がっている吐出孔８は、第２方向に沿って配置された１行の吐出孔行９Ｂを構成している。
【００４２】
したがって、本実施形態では、吐出孔列９Ａは１００列であり、吐出孔行９Ｂは１６行である。
【００４３】
加圧室本体１０ａの面積重心と、加圧室本体１０ａから繋がっている吐出孔８とは、ほぼ第１方向に位置がずれている。ディセンダ１０ｂは、加圧室本体１０ａに対して、吐出孔８の方向にずれた位置に配置されている。加圧室本体１０ａの側壁と、ディセンダ１０ｂの側壁とは接するように配置されており、これにより加圧室本体１０ａ内での液体の滞留を起き難くすることができる。
【００４４】
吐出孔は、ディセンダ１０ｂの中央部に配置されている。ここで中央部とは、ディセンダ１０ｂの面積重心を中心とする、ディセンダ１０ｂの直径の半分の円内の領域のことである。
【００４５】
第１個別流路１２と加圧室本体１０ａとの接続部は、加圧室本体１０ａの面積重心に対して、ディセンダ１０ｂとは反対側に配置されている。これにより、ディセンダ１０ｂから流れ込んだ液体は、加圧室本体１０ａ全体に広がった後、第１個別流路１２に向かうように流れるため、加圧室本体１０ａ内に液体の滞留が生じ難い。
【００４６】
第２個別流路１４は、ディセンダ１０ｂの吐出孔面４−２側の面から、平面方向に引き出されて第２共通流路２４と繋がっている。引き出される方向は、加圧室本体１０ａに対して、ディセンダ１０ｂがずらされる方向と同じである。
【００４７】
第１方向と第２方向とが成す角度は直角からずれている。このため、第１方向に沿って配置されている吐出孔列９Ａに属する吐出孔８同士は、その直角からのずれた角度の分、第２方向にずれて配置される。そして、吐出孔列９Ａが第２方向に並んで配置されるので、異なる吐出孔列９Ａに属する吐出孔８は、その分、第２方向にずれて配置される。これらが合わさって、第１流路部材４の吐出孔８は、第２方向に一定間隔で並んで配置されており、これにより、吐出した液体により形成される画素で所定の範囲を埋めるように印刷ができる。
【００４８】
１つの吐出孔列９Ａに属する吐出孔８の配置は、第１方向に沿って完全に一直線上に配置すれば、上述のように所定範囲を埋め尽くすように印刷が可能である。ただし、そのように配置した場合に、プリンタ１に液体吐出ヘッド２を設置する際に生じる第２方向に直交する方向と搬送方向とのずれが、印刷精度に与える影響が大きくなる。そのため、上述の一直線上の吐出孔８の配置から、隣り合う吐出孔列９Ａの間で、吐出孔８を入れ替えて配置するのが好ましい。
【００４９】
本実施形態では、吐出孔８の配置は次のようになっている。図３において、吐出孔８を第２方向と直交する方向に投影すると、仮想直線Ｒの範囲に３２個の吐出孔８が投影され、仮想直線Ｒ内で各吐出孔８は３６０ｄｐｉの間隔に並ぶ。これにより、仮想直線Ｒに直交する方向に印刷用紙Ｐを搬送して印刷すれば、３６０ｄｐｉの解像度で印刷できる。仮想直線Ｒ内に投影される吐出孔８は、１列の吐出孔列９Ａに属する吐出孔８すべて（１６個）と、その吐出孔列９Ａの両隣に位置する２つの吐出孔列９Ａに属する吐出孔８の半分（８個）ずつである。このような構成にするために、各吐出孔行９Ｂでは、吐出孔８は、２２．５ｄｐｉの間隔で並んでいる。これは、３６０／１６＝２２．５であるからである。
【００５０】
第１共通流路２０および第２共通流路２４は、吐出孔８が直線状に並んでいる範囲では、直線になっており、直線がずれる吐出孔８の間で平行にずれている。第１共通流路２０および第２共通流路２４において、このずれる箇所が少ないので、流路抵抗が小さくなっている。また、この平行にずれる部分は、加圧室１０と重ならない位置に配置されているので、加圧室１０毎に吐出特性の変動を小さくできる。
【００５１】
第２方向の両方の端の１列（すなわち合わせて２列）の加圧室列１１Ａには、通常の加圧室１０と第１ダミー加圧室１０Ｄ１とが含まれている。そのため、この加圧室列１１Ａをダミー加圧室列１１Ｄ１と言うことがある。また、ダミー加圧室列１１Ｄ１のさらに外側には、第２ダミー加圧室１０Ｄ２が並んでいる。片側の端に１列、両端で合わせて２列の第２ダミー加圧室列１１Ｄ２が配置されている。第２方向の両方の端に１本ずつ、すなわち合わせて２本ある流路は、第１共通流路２４と同じ形状をしているが、直接的には加圧室１０とは繋がっておらず、第２ダミー加圧室１０Ｄ２としか繋がっていないダミー第２共通流路２４Ｄである。以下で、このようなダミー第２共通流路２４Ｄを、第２端部流路と称する。
【００５２】
加圧室１０は、全体で加圧室群１１Ｃを構成している。加圧室群１１Ｃは、全体として第２方向に長い長方形状をなしている。加圧室列１１Ａは第２方向に対して斜めに伸びており、第２方向の端の加圧室列１１Ａでは、加圧室１０は列の半分である。そのため、加圧室群１１Ｃは、第２方向の両方の端では、第２方向に伸びる三角形状の突起が２つ付いた形状になっている。第１ダミー加圧室１０Ｄ１、第２ダミー加圧室１０Ｄ２は、加圧室群１１Ｃの外側に配置されている。本実施形態では、ダミー加圧室は、第２方向の外側にだけ配置されているが、他の方向、例えば、第１方向の外側に配置してもよい。
【００５３】
第１流路部材４は、第１共通流路２０および第２共通流路２４からなる共通流路群の第２方向の外側の位置に、第１方向に伸びている、第１端部流路３０を有している。第１端部流路３０は、加圧室面４−１に並んでいる第１共通流路２０の開口２０ａのさらに外側に配置されている開口３０ｃと、加圧室面４−１に並んでいる第２共通流路２４の開口２４ａのさらに外側に配置されている開口３０ｄとを繋いでいる流路であり、第１端部流路３０の流路抵抗は、第１共通流路２０および第２共通流路２４の流路抵抗よりも小さくなっている。第１端部流路３０については後で詳述する。
【００５４】
第２流路部材６は、第１流路部材４の加圧室面４−１に接合されている。第２流路部材６は、第２共通流路２４に液体を供給する第２統合流路２６と、第１共通流路２０の液体を回収する第１統合流路２２とを有している。第２流路部材６の厚さは、第１流路部材４よりも厚く、５〜３０ｍｍ程度である。
【００５５】
第２流路部材６は、第１流路部材４の加圧室面４−１の圧電アクチュエータ基板４０が接続されていない領域で接合されている。より具体的には、圧電アクチュエータ基板４０を囲むように接合されている。このようにすることで、圧電アクチュエータ基板４０に、吐出した液体の一部がミストとなって付着するのを抑制できる。また、第１流路部材４を外周で固定することになるので、第１流路部材４が変位素子５０の駆動に伴って振動して、共振などが生じることを抑制できる。
【００５６】
また、第２流路部材６の中央部で、貫通孔６ｃが上下に貫通している。貫通孔６ｃは、圧電アクチュエータ基板４０を駆動する駆動信号を伝達するＦＰＣ（Flexible Printed Circuit）などの配線部材が通される。なお、貫通孔６ｃの第１流路部材４側は、短手方向の幅が広くなっている拡幅部６ｃａとなっており、圧電アクチュエータ基板４０から短手方向の両側に伸びる配線部材は、拡幅部６ｃａで曲げられて上方に向かい、貫通孔６を抜ける。なお、拡幅部６ｃａに広がる部分の凸部は、配線部材を傷つけるおそれがあるので、Ｒ形状にしておくのが好ましい。
【００５７】
第１統合流路２２を、第１流路部材４とは別の、第１流路部材４より厚い第２流路部材６に配置することで、第１統合流路２２の断面積を大きくすることができ、それにより第１統合流路２２と第１共通流路２０とが繋がっている位置の差による圧力損失の差を小さくできる。第１統合流路２２の流路抵抗は、第１共通流路２０の１／１００以下にするのが好ましい。ここで、第１統合流路２２の流路抵抗とは、より正確には第１統合流路２２のうちで、第１共通流路２０と繋がっている範囲の流路抵抗のことである。
【００５８】
第２統合流路２６を、第１流路部材４とは別の、第１流路部材４より厚い第２流路部材６に配置することで、第２統合流路２６の断面積を大きくすることができ、それにより第２統合流路２６と第２共通流路２４とが繋がっている位置の差による圧力損失の差を小さくできる。第２統合流路２６の流路抵抗は、第２共通流路２４の１／１００以下にするのが好ましい。ここで、第２統合流路２６の流路抵抗とは、より正確には第２統合流路２６のうちで、第１統合流路２２と繋がっている範囲の流路抵抗のことである。
【００５９】
第１統合流路２２を第２流路部材６の短手方向の一方の端に配置し、第２統合流路２６を第２流路部材６の短手方向の他方の端に配置し、それぞれの流路を第１流路部材４側に向かわせて、それぞれ第１共通流路２０および第２共通流路２４と繋げる構造にする。このような構造にすることで、第１統合流路２２および第２統合流路２６の断面積を大きくして、流路抵抗を小さくできる。また、このような構造にすることで、第１流路部材４は、外周が第２流路部材６で固定されるので剛性を高くできる。さらに、このような構造にすることで、信号伝達部の通る貫通孔６ｃを設けることができる。
【００６０】
第２流路部材６は、第２流路部材のプレート６ａと６ｂとが積層されて構成されている。プレート６ｂの上面には、第１統合流路２２のうち第２方向に伸びている流路抵抗の低い部分である第１統合流路本体２２ａとなる溝と、第２統合流路２６のうち第２方向に伸びている流路抵抗の低い部分である第２統合流路本体２６ａとなる溝が配置されている。
【００６１】
第１統合流路本体２２ａとなる溝から、下方（第１流路部材４の方向）に向かって複数の第１接続流路２２ｂが伸びており、加圧室面４−１上に開口している第１共通流路の開口２０ａに繋がっている。各第１接続流路２２ｂの間は仕切り６ｂａで区切られている（つまり、第１接続流路２２ｂの第１共通流路２０側は分岐している）。これにより、第２流路部材６と第１流路部材４との接続の剛性を高くできる。さらに、第２方向において、仕切り６ｂａの長さは、第１接続流路２２ｂの長さより長くなっていることで、第２流路部材６と第１流路部材４との接続の剛性をより高くできる。
【００６２】
第２統合流路本体２６ａとなる溝から、下方（第１流路部材４の方向）に向かって複数の第２接続流路２６ｂが伸びており、加圧室面４−１上に開口している第２共通流路の開口２４ａに繋がっている。各第２接続流路２６ｂの間は仕切り６ｂｂで区切られている（つまり、第２接続流路２６ｂの第２共通流路２４側は分岐している）。これにより、第２流路部材６と第１流路部材４との接続の剛性を高くできる。さらに、第２方向において、仕切り６ｂｂの長さは、第２接続流路２６ｂの長さより長くなっていることで、第２流路部材６と第１流路部材４との接続の剛性をより高くできる。
【００６３】
プレート６ａには、第１統合流路２２の第２方向の両端それぞれに開口２２ｃ、２２ｄが設けられている。プレート６ａには、第２統合流路２６の第２方向の両端それぞれに開口２６ｃ、２６ｄが設けられている。液体の入っていない液体吐出ヘッド２に液体を供給するとき、第２統合流路２６内の液体が外部に排出され易いように、一方の開口（例えば開口２６ｃ）から液体を供給し、第１流路部材４に液体を供給するとともに、空気および溢れた液体を他の開口（例えば２６ｄ）から排出することで、第１流路部材４に気体が入り込み難くできる。第１統合流路２２についても同様に、一方の開口（例えば開口２２ｃ）から供給し、他方の開口（例えば開口２２ｄ）から排出するようにすればよい。
【００６４】
印刷をする場合の、液体の供給および回収にはいくつかの方法がある。一つは、第２統合流路２６に供給した液体のすべてが、第１流路部材４に入り、さらに第１統合流路２２入って外部に排出される。この際、第１統合流路２２へは、外部からの液体は供給されない。この場合さらに、２つの開口２６ｃ、２６ｄから液体を供給し、２つの開口２２ｃ、２２ｄから回収する方法と、開口２６ｃ、２６ｄのどちらか一方から液体を供給し、他方は閉じておき、開口２２ｃ、２２ｄのどちらか一方から液体を回収し、他方は閉じておく方法がある。どちらの開口を用いるかは組み合わせ可能なので、合計４通りの方法があることになる。圧力損失による圧力の差を小さくするには、２つの開口から供給し、２つの開口から回収するのが好ましいが、液体を給排するチューブの接続や、圧力の制御が煩雑になる。１つの開口から供給し、１つの開口から回収すると、接続や圧力の制御が簡単になる。その場合、供給と回収は、第２方向に関して反対側の位置にある開口を組にして行なえば、圧力損失の影響が相殺するようになるので好ましい。具体的には、開口２６ｃから供給し開口２２ｄから回収する、あるいは開口２６ｄから供給し開口２２ｃから回収するようにすればよい。
【００６５】
給排の他の方法は、第２統合流路２６の一方の開口（例えば２６ｃ）から液体を供給し、他方の開口（例えば２６ｄ）から回収し、第１統合流路２２の一方の開口（例えば２２ｄ）から液体を供給し、他方の開口（例えば２２ｃ）から回収する。それぞれの給排の圧力を調節して、第２統合流路２６の圧力が、第１統合流路２２の圧力より高くなるようにすれば、第１流路部材４に液体が流れるようになる。このようにすると、各吐出孔８のメニスカスに加わる圧力の差は、ここまで説明した方法の中ではもっとも小さくなる。
【００６６】
上述の方法を組み合わせて、第２統合流路２６に対して給排を行なって、第１統合流路２２からは回収だけにしてもよい。逆に、第２統合流路２６に対しては供給だけを行ない、第１統合流路２２には給排を行なってもよい。
【００６７】
またさらに、以上で説明した供給と回収の関係を逆にしてもよい。例えば、第１統合流路２２の開口２２ｄは閉じて、開口２２ｃから液体を供給し、第２統合流路２６の開口２２ｃは閉じて、開口２６ｄから液体を回収してもよい。
【００６８】
第１統合流路２２および第２統合流路２６には、ダンパを設けて、液体の吐出量の変動に対して液体の供給、あるいは排出が安定するようにしてもよい。また、第１統合流路２２および第２統合流路２６内に、フィルタを設けることにより、異物や気泡が、第１流路部材４に入り込み難くしてもよい。
【００６９】
第１流路部材４の上面である加圧室面４−１には、変位素子５０を含む圧電アクチュエータ基板４０が接合されており、各変位素子５０が加圧室１０上に位置するように配置されている。圧電アクチュエータ基板４０は、加圧室１０によって形成された加圧室群とほぼ同一の形状の領域を占有している。また、各加圧室１０の開口は、流路部材４の加圧室面４−１に圧電アクチュエータ基板４０が接合されることで閉塞される。圧電アクチュエータ基板４０は、ヘッド本体２ａと同じ方向に長い長方形状である。また、圧電アクチュエータ基板４０には、各変位素子５０に信号を供給するためのＦＰＣなどの信号伝達部が接続されている。第２流路部材６には、中央で、上下に貫通している貫通孔６ｃが配置されている。信号伝達部は貫通孔６ｃを通って制御部８８と電気的に繋がれる。信号伝達部は、圧電アクチュエータ基板４０の一方の長辺の端から他方の長辺の端に向かうように短手方向に伸びる形状にし、信号伝達部に配置される配線が短手方向に沿って伸び、長手方向に並ぶようにすれば、配線間の距離を大きくしやすくなり、好ましい。
【００７０】
圧電アクチュエータ基板４０の上面における各加圧室１０に対向する位置には個別電極４４がそれぞれ配置されている。
【００７１】
流路部材４は、複数のプレートが積層された積層構造を有している。流路部材４の加圧室面４−１側から順に、プレート４ａからプレート４ｌまでの１２枚のプレートが積層されている。これらのプレートには多数の孔や溝が形成されている。孔や溝は、例えば、各プレートを金属で作製し、エッチングで形成できる。各プレートの厚さは１０〜３００μｍ程度であることにより、形成する孔の形成精度を高くできる。プレート４ｆ〜ｉは、同じ形状のプレートであり、それらは１枚のプレートで構成してもよいが、孔を精度よく形成するため、４枚のプレートで構成している。各プレートは、これらの孔が互いに連通して第１共通流路２０などの流路を構成するように、位置合わせして積層されている。
【００７２】
平板状の流路部材４の加圧室面４−１には、加圧室本体１０ａが開口しており、圧電アクチュエータ基板４０が接合されている。また、加圧室面４−１には、第２共通流路２４に液体を供給する開口２４ａ、および第１共通流路２０から液体を回収する開口２０ａが開口している。流路部材４の、加圧室面４−１と反対側の面である吐出孔面４−２には吐出孔８が開口している。なお、加圧室面４−１にさらにプレートを積層して、加圧室本体１０ａの開口を塞ぎ、その上に圧電アクチュエータ基板４０を接合してもよい。そのようにすれば、吐出する液体が圧電アクチュエータ基板４０に影響する可能性を低減することができ、信頼性をより高くできる。
【００７３】
液体を吐出する構造としては、加圧室１０と吐出孔８とがある。加圧室１０は、変位素子５０に面している加圧室本体１０ａと、加圧室本体１０ａより断面積が小さいディセンダ１０ｂから成っている。加圧室本体１０ａは、プレート４ａに形成されており、ディセンダ１０ｂは、プレート４ｂ〜ｋに形成された孔が重ねられ、さらにノズルプレート４ｌで（吐出孔８以外の部分を）塞がれて成っている。
【００７４】
加圧室本体１０ａには、第１個別流路１２が繋がっており、第１個別流路１２は、第１共通流路２０に繋がっている。第１個別流路１２は、プレート４ｂを貫通する円形状の孔と、プレート４ｃにおいて平面方向に伸びている貫通溝と、プレート４ｄを貫通する円形状の孔とを含んでいる。第１共通流路２０はプレート４ｆ〜ｉに形成された孔が重ねられ、さらに上側をプレート４ｅで、下側をプレート４ｊで塞がれて成っている。
【００７５】
ディセンダ１０ｂには、第２個別流路１４が繋がっており、第２個別流路１４は、第２共通流路２４に繋がっている。第２個別流路１４は、プレート４ｊにおいて平面方向に伸びている貫通溝である。第２共通流路２４はプレート４ｆ〜ｉに形成された孔が重ねられ、さらに上側をプレート４ｅで、下側をプレート４ｊで塞がれて成っている。
【００７６】
液体の流れについて、まとめると、第２統合流路２６に供給された液体は、第２共通流路２４および第２個別流路１４を順に通って加圧室１０に入り、一部の液体は吐出孔８から吐出される。吐出されなかった液体は、第１個別流路１２を通って、第１共通流路２０に入った後、第１統合流路２２に入り、ヘッド本体２の外部に排出される。
【００７７】
圧電アクチュエータ基板４０は、圧電体である２枚の圧電セラミック層４０ａ、４０ｂからなる積層構造を有している。これらの圧電セラミック層４０ａ、４０ｂはそれぞれ２０μｍ程度の厚さを有している。すなわち、圧電アクチュエータ基板４０の圧電セラミック層４０ａの上面から圧電セラミック層４０ｂの下面までの厚さは４０μｍ程度である。圧電セラミック層４０ａと圧電セラミック層４０ｂの厚さの比は、３：７〜７：３、好ましく４：６〜６：４にされる。圧電セラミック層４０ａ、４０ｂのいずれの層も複数の加圧室１０を跨ぐように延在している。これらの圧電セラミック層４０ａ、４０ｂは、例えば、強誘電性を有する、チタン酸ジルコン酸鉛（ＰＺＴ）系、ＮａＮｂＯ３系、ＢａＴｉＯ３系、（ＢｉＮａ）ＮｂＯ３系、ＢｉＮａＮｂ５Ｏ１５系などのセラミックス材料からなる。
【００７８】
圧電アクチュエータ基板４０は、Ａｇ−Ｐｄ系などの金属材料からなる共通電極４２およびＡｕ系などの金属材料からなる個別電極４４を有している。共通電極４２の厚さは２μｍ程度であり、個別電極４４の厚さは、１μｍ程度である。
【００７９】
個別電極４４は、圧電アクチュエータ基板４０の上面における各加圧室１０に対向する位置に、それぞれ配置されている。個別電極４４は、平面形状が加圧室本体１０ａより一回り小さく、加圧室本体１０ａとほぼ相似な形状を有している個別電極本体４４ａと、個別電極本体４４ａから引き出されている引出電極４４ｂとを含んでいる。引出電極４４ｂの一端の、加圧室１０と対向する領域外に引き出された部分には、接続電極４６が形成されている。接続電極４６は例えば銀粒子などの導電性粒子を含んだ導電性樹脂であり、５〜２００μｍ程度の厚さで形成されている。また、接続電極４６は、信号伝達部に設けられた電極と電気的に接合されている。
【００８０】
詳細は後述するが、個別電極４４には、制御部８８から信号伝達部を通じて駆動信号が供給される。駆動信号は、印刷媒体Ｐの搬送速度と同期して一定の周期で供給される。
【００８１】
共通電極４２は、圧電セラミック層４０ａと圧電セラミック層４０ｂとの間の領域に面方向のほぼ全面にわたって形成されている。すなわち、共通電極４２は、圧電アクチュエータ基板４０に対向する領域内のすべての加圧室１０を覆うように延在している。共通電極４２は、圧電セラミック層４０ａ上に個別電極４４からなる電極群を避ける位置に形成されている共通電極用表面電極（不図示）に、圧電セラミック層４０ａを貫通して形成された貫通導体を介して繋がっている。また、共通電極４２は、共通電極用表面電を介して接地され、グランド電位に保持されている。共通電極用表面電極は、個別電極４４と同様に、制御部８８と直接あるいは間接的に接続されている。
【００８２】
圧電セラミック層４０ａの個別電極４４と共通電極４２とに挟まれている部分は、厚さ方向に分極されており、個別電極４４に電圧を印加すると変位する、ユニモルフ構造の変位素子５０となっている。より具体的には、個別電極４４を共通電極４２と異なる電位にして圧電セラミック層４０ａに対してその分極方向に電界を印加したとき、この電界が印加された部分が、圧電効果により歪む活性部として働く。この構成において、電界と分極とが同方向となるように、制御部８８により個別電極４４を共通電極４２に対して正または負の所定電位にすると、圧電セラミック層４０ａの電極に挟まれた部分（活性部）が、面方向に収縮する。一方、非活性層の圧電セラミック層４０ｂは電界の影響を受けないため、自発的には縮むことがなく活性部の変形を規制しようとする。この結果、圧電セラミック層４０ａと圧電セラミック層４０ｂとの間で分極方向への歪みに差が生じて、圧電セラミック層４０ｂは加圧室１０側へ凸となるように変形（ユニモルフ変形）する。
【００８３】
続いて、液体の吐出動作について、説明する。制御部８８からの制御でドライバＩＣなどを介して、個別電極４４に供給される駆動信号により、変位素子５０が駆動（変位）させられる。本実施形態では、様々な駆動信号で液体を吐出させることができるが、ここでは、いわゆる引き打ち駆動方法について説明する。
【００８４】
あらかじめ個別電極４４を共通電極４２より高い電位（以下、高電位と称す）にしておき、吐出要求がある毎に個別電極４４を共通電極４２と一旦同じ電位（以下、低電位と称す）とし、その後所定のタイミングで再び高電位とする。これにより、個別電極４４が低電位になるタイミングで、圧電セラミック層４０ａ、４０ｂが元の（平らな）形状に戻り（始め）、加圧室１０の容積が初期状態（両電極の電位が異なる状態）と比較して増加する。これにより、加圧室１０内の液体に負圧が与えられる。そうすると、加圧室１０内の液体が固有振動周期で振動し始める。具体的には、最初、加圧室１０の体積が増加し始め、負圧は徐々に小さくなっていく。次いで加圧室１０の体積は最大になり、圧力はほぼゼロとなる。次いで加圧室１０の体積は減少し始め、圧力は高くなっていく。その後、圧力がほぼ最大になるタイミングで、個別電極４４を高電位にする。そうすると最初に加えた振動と、次に加えた振動とが重なり、より大きい圧力が液体に加わる。この圧力がディセンダ内を伝搬し、吐出孔８から液体を吐出させる。
【００８５】
つまり、高電位を基準として、一定期間低電位とするパルスの駆動信号を個別電極４４に供給することで、液滴を吐出できる。このパルス幅は、加圧室１０の液体の固有振動周期の半分の時間であるＡＬ（Acoustic Length）とすると、原理的には、液体の吐出速度および吐出量を最大にできる。加圧室１０の液体の固有振動周期は、液体の物性、加圧室１０の形状の影響が大きいが、それ以外に、圧電アクチュエータ基板４０の物性や、加圧室１０に繋がっている流路の特性からの影響も受ける。
【００８６】
ヘッド本体２ａにおいて、第１ダミー加圧室１０Ｄ１および第２ダミー加圧室１０Ｄ２
は、例えば、次の理由により設けられる。第１の理由は、配置されている加圧室１０からなる加圧室群１１Ｃの端部に位置する加圧室１０から吐出される液体の吐出特性と、他の加圧室１０、例えば加圧室群１１Ｃの中央部に配置されている加圧室１０の吐出特性との差を小さくするためである。加圧室１０の吐出特性は、加圧室１０の周囲の流路部材の剛性の影響を受けるため、周囲の加圧室１０の配置が変わると変動する。端部に配置されている加圧室１０は、周囲に配置されている加圧室１０が少ない状態になっている。しかし、そのさらに外側にダミー加圧室を配置することで、端部に配置されている加圧室１０の吐出特性が他の加圧室１０に近づくようにできる。
【００８７】
本実施形態では、加圧室１０は、第２方向に広がって配置されており、第２方向の端に位置する加圧室１０の外側に、ダミー加圧室が配置されており、加圧室１０とダミー加圧室とが、規則的に配置されている。これにより、第２方向の端に位置する加圧室１０の吐出特性の変動を少なくすることができる。このためには、ダミー加圧室は、通常の加圧室１０と同様に、周囲の流路部材よりも剛性の低い空隙にする。また、ダミー加圧室は、周囲の流路と繋がっていて、液体が満たされるようになっている必要性は、必ずしもない。
【００８８】
第２の理由は、第１共通流路２０および第２共通流路２４に流れる液体の状態を平均化して、吐出特性のばらつきを小さくするためである。ヘッド本体２ａでは、第２共通流路２４と第１共通流路２０との間は、複数の加圧室１０で並列に繋げられている。第２共通流路２４に供給された液体は、第２共通流路２４に繋がっている、複数存在する加圧室１０のいずれかを通って第１共通流路２０に排出される。一般的に、第２方向の端に位置する共通流路に繋がっている加圧室１０の数は、他の共通流路、例えば第２方向の中央部に配置されている共通流路に繋がっている加圧室１０の数と異なるので、第２共通流路２４の開口２４ａから第１共通流路２０の開口２０ａまでの流路抵抗は、それぞれで異なる。したがって、それぞれに流れる液体の流速が異なり、その影響で吐出特性も変動する。第２方向の端部に位置する共通流路にダミー加圧室を繋げて、加圧室１０と同様に液体を流すことで、この影響を小さくすることができる。このためには、ダミー加圧室は、所定の流路抵抗を持った単なる流路でもよい。
【００８９】
ダミー加圧室を、通常の加圧室１０とほぼ同形状にし、周囲の共通流路と繋げて、液体を流すようにすれば、上述の両方のメリットが得られる。ダミー加圧室には、ノズル８を繋がないのが好ましい。ダミー加圧室に、ノズル８が繋がっていなければ、そのノズル８でメニスカスが保てなくなることによる、液体の溢れや、大気の引き込みが起きなくなる。
【００９０】
ダミー加圧室を設けることには以上のようなメリットがあるが、次のような問題が生じるおそれがある。第１は、ダミー加圧室を、加圧室１０と同様に圧電アクチュエータ基板４０で塞ぐようにすると、ダミー加圧室に対応する部分の圧電アクチュエータ基板４０が破損するなどした場合に、液体が漏れることで流路特性が変わることによる吐出特性の変動や、漏れた液体によるショートが生じることである。本実施形態では、加圧室１０は、プレート（加圧室プレート）４ａに形成されており、加圧室１０の上側は圧電アクチュエータ基板４０で塞がれている。さらに本実施形態では、一部のダミー加圧室は、プレート４ａより下側に位置するプレート（ダミー加圧室プレート）４ｂに形成されており、ダミー加圧室１０の上側はプレート（加圧室プレート）４ａで塞がれている。このような構成になっていることにより、加圧室１０の周囲の剛性の差および共通流路に流れる液体の状態の差を小さくしつつ、ダミー加圧室と圧電アクチュエータ基板４０とが直接接触しないようにすることができる。
【００９１】
なお、本実施形態では、第２ダミー加圧室１０Ｄ２は、上述のようにプレート（ダミー加圧室プレート）４ｂに形成されている。第１ダミー加圧室１０Ｄ１は、剛性や流路特性を加圧室１０により近くするために、加圧室と同じプレート（加圧室プレート）４ａに形成されている。第１ダミー加圧室１０Ｄ１も含めてすべてのダミー加圧室を、上述のようにプレート（ダミー加圧室プレート）４ｂに形成してもよい。
【００９２】
第２は、ダミー加圧室を塞ぐために、圧電アクチュエータ基板４０が大きくなり、コストが高くなったり、不良率が高くなったりすることである。ダミー加圧室がプレート４ａで塞がれる構造になっているため、圧電アクチュエータ基板４０は、ダミー加圧室の上まで覆う大きさにする必要がなくなる。圧電アクチュエータ基板４０の大きさを、平面視したときに、一部のダミー加圧室と重ならない大きさすれば、圧電アクチュエータ基板４０を小型化することができる。
【００９３】
加圧室１０および第２ダミー加圧室１０Ｄ２の構造について、より詳細に説明する。加圧室本体１０ａの側面は、プレート（加圧室プレート）４ａに形成された孔により構成されており、この孔の上側は、圧電アクチュエータ基板４０で塞がれている。この孔の下側、すなわち圧電アクチュエータ基板４０が積層されているのと反対側は、大部分がプレート（ダミー加圧室プレート）４ｂで塞がれており、塞がれてない部分は、ディセンダ１０ｂおよび第１個別流路１２に繋がっている。プレート（ダミー加圧室プレート）４ｂに配置されている、加圧室本体１０ａと繋がっている流路、すなわちディセンダ１０ｂおよび第１個別流路１２は、プレート（ダミー加圧室プレート）４ｂを上下に貫通している流路であり、液体は主に上下方向に移動するように流れる。このような構成により、第２ダミー加圧室本体１０Ｄ２ａをプレート４ａの１層下のプレート（ダミー加圧室プレート）４ｂに積層されても、変わる流路抵抗は、プレート（ダミー加圧室プレート）４ｂに形成されているディセンダ１０ｂおよび第１個別流路１２がわずかに短くなる分だけなので、その流路抵抗の差を小さくすることができる。
【００９４】
本実施形態では、プレート（加圧室プレート）４ａの直接下にプレート（ダミー加圧室プレート）４ｂが積層されているが、プレート（加圧室プレート）４ａとプレート（ダミー加圧室プレート）４ｂとの間に他のプレートが積層されていてもよい。そのような場合、プレート（加圧室プレート）４ａの直接下に積層されているプレートから、プレート（ダミー加圧室プレート）４ｂまでのすべてのプレートに、それらのプレートを貫通して、加圧室１０に液体を供給および排出する、液体が主に上下方向に移動する流路を設ければよい。
【００９５】
なお、ここで主に上下に流れるとは、プレート４ｂとプレート４ａとの境界に位置している流路の面積重心と、プレート４ｂとプレート４ｃとの境界に位置している流路の面積重心とが、平面方向に大きくずれていない場合の液体の流れを表している。より具体的には、プレート４ｂとプレート４ａとの境界に位置している流路の面積を円換算した直径と、プレート４ｂとプレート４ｃとの境界に位置している流路の面積を円換算した直径とを算術平均した直径に対して、前述の面積重心同士の平面方向の距離が５０％以下であることを意味し、さらに、３０％以下、特に１０％以下であることが好ましい。
【００９６】
第２ダミー加圧室本体１０Ｄ２ａの側面は、プレート（ダミー加圧室プレート）４ｂに形成された孔により構成されており、この孔の上側は、プレート４ａで塞がれている。この孔の下側は、大部分がプレート４ｃで塞がれており、塞がれてない部分は、ダミーディセンダ１０Ｄ２ｂおよびダミー第１個別流路１２Ｄに繋がっている。
【００９７】
第２ダミー加圧室本体１０Ｄ２ａを配置するプレートは、プレート（加圧室プレート）４ａより下側のプレートであれば、どのプレートでもよい。第２ダミー加圧室１０Ｄ２周囲の構造（より具体的には剛性や流路抵抗）を加圧室１０の周囲の構造により近づける点で、第２ダミー加圧室１０Ｄ２は、プレート（加圧室プレート）４ａのすぐ下に積層されているプレート４ｂに配置するのが好ましい。第２ダミー加圧室１０Ｄ２を、例えば、プレート４ｃに配置する場合、第２ダミー加圧室１０Ｄ２の上面は、プレート４ｂで塞がれる。
【００９８】
第２ダミー加圧室１０Ｄ２周囲の構造（より具体的には剛性や流路抵抗）を加圧室１０の構造に近づけるように、加圧室１０の高さ（深さ）は、第２ダミー加圧室１０Ｄ２の高さ（深さ）は略同じであることが好ましい。つまり、プレート（ダミー加圧室プレート）４ｂと、プレート（加圧室プレート）４ａの厚さは、略同じであることが好ましい。これにより、加圧室本体１０ａの流路抵抗と、第２ダミー加圧室本体１０Ｄ２ａの流路抵抗とがほぼ同じにすることができる。ここで厚さが略同じとは、一方の厚さが他方の厚さの±５０％以内であることを意味し、さらに±３０％以内、特に±１０％以内であることが好ましい。
【００９９】
本実施形態では、共通流路は、ヘッド本体２ａのほぼ短手方向である第１方向に沿って伸びているとともに、ヘッド本体２ａの長手方向である第２方向に並んでいる。共通流路は、全体で１つの共通流路群を構成している。ヘッド本体２ａは、第２方向に共通流路群の外側にまで伸びており、外部と液体の給排が行なわれる開口２２ｃ、２２ｄ、２６ｃ、２６ｄが設けられている。また、ヘッド本体２ａは、第２方向の両端でプリンタ１に固定される。
【０１００】
液体の吐出特性を安定させるために、ヘッド本体２ａは、温度を一定にするようコントロールされる。また、液体の粘度が低くなる方が、吐出や液体の循環が安定するため、温度は、基本的には常温以上にされる。そのため、基本的には加熱することになるが、環境温度が高い場合は、冷却することもある。以下では環境温度に対して加熱する場合について説明するが、冷却の場合も同様になる。環境温度と、目標とする温度に差がある場合、ヘッド本体２ａの長手方向（第２方向）の端部からの放熱が多くなるため、共通流路群の中で、第２方向の端に位置する共通流路中の液体の温度が低くなりやすい。この影響で、第２方向の端に位置する加圧室１０からの吐出特性は、他の加圧室１０からの吐出特性と差が生じるため、印刷精度が低下することがあった。
【０１０１】
そのため、ヘッド本体２ａでは、流路部材（第１流路部材４と第２流路部材６とを合わせたもの）の、共通流路群の第２方向の外側に、第１端部流路３０が設けられている。第１端部流路３０は、共通流路よりも流路抵抗が低くなっている。第１端部流路３０の流路抵抗が低いため、第１端部流路３０に流れる液体の時間当たりの流量は、共通流路に流れる液体の時間当たりの流量よりも多くなる。このため、ヘッド本体２ａの第２方向の端部からの放熱が大きくても、第１端部流路３０を横切るように温度が伝わり難いので、共通流路群内の温度差を小さくできる。第１端部流路３０の流路抵抗は、共通流路の流路抵抗の２倍以上、特に３倍以上であるのが好ましい。
【０１０２】
なお、共通流路の流路抵抗とは、１つの第２共通流路２４の開口２４ｂから、１つの第１共通流路２０の開口２０ａまでの流路抵抗のことである。本実施形態では、１本の第２共通流路２４に供給された液体は、２列の加圧室列１１Ａの加圧室に流れ込み、さらに２本の第１共通流路２０に流れ込む。逆に、１本の第１共通流路２０には、２本の第２共通流路２４からの液体が流れ込む。この関係から、共通流路の流路抵抗は、１本の第２共通流路２４に供給された液体が、２列の加圧室列１１Ａの加圧室に流れ込み、さらに第１共通流路２０の２倍の流路抵抗に流れ込んだ場合の流路抵抗と同じになる。すなわち、第１共通流路２０の流路抵抗をＲＡ、第２共通流路２４の流路抵抗をＲＢ、個別流路の流路抵抗をＲＩとすれば、共通流路の流路抵抗は、ＲＢ＋（ＲＩ／１６＋ＲＡ×２）／２と表せる。これは、計算すればＲＡ＋ＲＢ＋ＲＩ／３２となる。すなわち、共通流路の流路抵抗は、第１共通流路２０の流路抵抗、第２共通流路２４の流路抵抗、および２列の加圧室列１１Ａの個別流路が並列になっている場合の流路抵抗の合計になる。
【０１０３】
本実施形態では、第１端部流路３０は、共通流路群の両側にそれぞれ設けており、温度の安定化のためには両側に設ける方がよいが、片側だけであっても、その片側において温度を安定化することができる。
【０１０４】
ヘッド本体２ａとプリンタ１との固定をヘッド本体２ａの第２方向の端部で行なう場合、ヘッド本体２ａの両端部からプリンタ１への熱伝導が大きくなるため、そのようなヘッド本体２ａでは、第１端部流路３０を設ける必要性が高くなる。
【０１０５】
第１端部流路３０には、流路の幅が、共通流路の幅よりも広い幅広部３０ａが設けられており、幅広部３０ａの加圧室側４−１には第３ダンパ２８ｃが設けられている。第３ダンパ２８Ｃは、一方の面が幅広部３０ａに面しており、他方の面がダンパ室２９に面していて変形可能になっている。ダンパのダンピング能力は、変形可能な領域の差し渡しが一番狭い部分の影響が大きい。共通流路の幅を広くするヘッド本体２ａの大きさが大きくなってしまうため、共通流路の幅はあまり大きくできず、共通流路に設けられた第１ダンパ２８Ａ、第２ダンパ２８Ｂだけでは、ダンピング能力が十分でないおそれがある。幅広部３０ａの幅を大きくすることで、第３ダンパ２８Ｃのダンピング能力を大きくすることができる。幅広部３０ａの幅は、共通流路の幅の２倍上、特に３倍以上であるのが好ましい。
【０１０６】
幅広部３０ａの吐出孔面４−２側にもダンパを設けて、さらにダンピング能力を大きくしてもよい。  温度安定化のためには、第１端部流路３０の流路抵抗は低い方が好ましいが、極端に低いと、共通流路に供給される液体の量が不足するおそれがあり、第１端部流路３０の流路抵抗は、共通流路の０．０５倍以上、特に０．１倍以上であるのが好ましい。幅広部３０ａを設けるとともに、流路抵抗を大きくするには、幅広部３０ａよりも幅の狭い狭窄部３０ｂを設けるのが好ましい。狭窄部３０ｂを２つの幅広部３０ａの間に配置すれば、液体の供給側と排出側の両方でダンピングによる安定化ができるとともに、供給側と排出側との間で液体の振動が伝わり難くなるので、供給側の変動が排出側に影響し難くでき、排出側の変動が供給側に影響し難くできる。
【０１０７】
また、第１端部流路３０の流路抵抗は、共通流路全体の構成も考慮して、共通流路に流れる流量の８０％以上が共通流路に流れるようにするのが好ましい。具体的には、後述の第２端部流路も含めて、次のようにするのが好ましい。流路抵抗Ｒ０の共通流路がｎ０本、流路抵抗Ｒ１の第１端部流路３０がｎ１本、流路抵抗Ｒ２の第２端部流路ｎ２本が並列に繋がっており、全体の流路抵抗はＲであるとする。また、１本の共通流路に流れる液体の流量がＵ０、１本の第１端部流路３０に流れる液体の流量がＵ１、１本の第２端部流路に流れる液体の流量がＵ２であり、合計の流量はＵであるとする。これらの関係から、１／Ｒ＝ｎ０／Ｒ０＋ｎ１／Ｒ１＋ｎ２／Ｒ２であり、Ｕ＝ｎ０×Ｕ０＋ｎ１×Ｕ１＋ｎ２×Ｕ２であり、Ｕ０×Ｒ０＝Ｕ１×Ｒ１＝Ｕ２×Ｒ２である。上述の条件は、Ｕ０≧０．８×Ｕと表され、上記条件を当てはめると、（ｎ０×Ｒ１×Ｒ２）／（ｎ０×Ｒ１×Ｒ２＋ｎ１×Ｒ２×Ｒ０＋ｎ２×Ｒ０×Ｒ１）≧０．８とするのが好ましいことが分かる。共通流路の本数１０本以上と多い場合は、第１端部流路３０の流路抵抗は、共通流路の０．５〜０．９倍とするのが好ましい。  本実施形態では、液体を吐出できる加圧室１０の列である加圧室列１１Ａの、第２方向の外側に、第１ダミー加圧室１０Ｄ１と加圧室１０が並んでいる列である第１ダミー加圧室列１１ＡＤ１と、第２ダミー加圧室１０Ｄ２が並んでいる列である第２ダミー加圧室列１１ＡＤ２が配置されている。第１ダミー加圧室列１１ＡＤ１は、すべてが加圧室１０で構成されている加圧室列１１Ａの第２方向の外側に、１列ずつ配置されており、第２ダミー加圧室列１１ＡＤ２は、第１ダミー加圧室列１１ＡＤ１の第２方向の外側に、１列ずつ配置されている。
【０１０８】
第１ダミー加圧室１０Ｄ１には、吐出孔８が繋がっていない。また、第１ダミー加圧室１０Ｄ１には、対応する個別電極４４が形成されていない。これ以外の点では、第１ダミー加圧室１０Ｄ１は、加圧室１０とほぼ同じである。第１ダミー加圧室列１１ＡＤ１には、第１共通流路２０の開口２０ａ側に８個の第１ダミー加圧室列１１ＡＤ１が並んでおり、第２共通流路２４の開口２４ａ側に８個の加圧室１０が並んでいる。
【０１０９】
第２ダミー加圧室１０Ｄ２には、吐出孔８が繋がっていない。また、第２ダミー加圧室１０Ｄ２には、対応する個別電極４４が形成されていない。さらに、第２ダミー加圧室列１１ＡＤ２の一部は、圧電アクチュエータ基板４０より外側に配置されている。そのため、第２ダミー加圧室１０Ｄ２の第２ダミー加圧室本体１０ａＤ２は、加圧室本体１０ａの形成されているプレート４ａよりも１枚吐出孔面４−２側のプレート４ｂに形成されており、プレート４ａで塞がれている。これ以外の点では、第２ダミー加圧室１０Ｄ２は、加圧室１０とほぼ同じである。
【０１１０】
本発明において、共通流路とは、液体を吐出可能な加圧室１０に（直接的に）液体を給排する流路である。本実施形態では、共通流路からなる共通流路群の第２方向の外側に、それぞれ１本のダミー第２共通流路２４Ｄが配置されており、第２端部流路と呼ぶ。第１端部流路３０は、第２端部流路のさらに外側に配置されている。
【０１１１】
共通流路群の一番端に位置する第１共通流路２０は、１列の加圧室列１１Ａ（第１ダミー加圧室列１１ＡＤ１）からしか液体の排出を受けていない。他の第１共通流路２０は、２列の加圧室列１１Ａからの液体の排出を受けているため、一番端に位置する第１共通流路２０から液体の供給を受ける加圧室１０は、他の加圧室１０と液体の流れる条件が大きく変わり、吐出特性が変わるおそれがある。また、第１ダミー加圧室列１１ＡＤ１に存在する液体の吐出を行なう加圧室１０は８個であり、他の加圧室列１１Ａよりも少なく、そのままでは液体の給排の状態が他の加圧室列１１Ａと大きく異なる。
【０１１２】
そこで給排の状態の差をなくすように、第１ダミー加圧室列１１ＡＤ１には８個の第１ダミー加圧室１０Ｄ１を配置している。これにより、第１ダミー加圧室列１１ＡＤ１に含まれる第１ダミー加圧室１０Ｄ１と加圧室１０との合計数は、他の加圧室列１１Ａの加圧室１０の数と同じになっている。さらに、一番端に位置する第１共通流路２０の外側にダミー第２共通流路２４Ｄを配置して、それらの間に第２ダミー加圧室１０Ｄ２を配置している。第１ダミー加圧室１０Ｄ１を含むダミー個別流路の流路特性および第２ダミー加圧室１０Ｄ２を含むダミー個別流路は、個別流路の流路特性とほぼ同じであり、一番端に位置する第１共通流路２０は、１列の第１ダミー加圧室列１１ＡＤ２と、第２ダミー加圧室列１１ＡＤ２からの液体の排出を受けることになるので、一番端に位置する第１ダミー加圧室列１１ＡＤ１に含まれる加圧室１０の吐出特性を他と同等にできる。
【０１１３】
第１端部流路３０は、ヘッド本体２ａの第２方向の端部に生じる温度変動を共通流路に伝え難くする効果があるが、ヘッド本体２ａに供給される液体の温度が変動した場合、他の部分と比較して、第１端部流路３０の周囲の温度変化が速くなり、第２方向の端部の加圧室１０が温度変化の影響を受けやすくなる。第１共通流路２０の第２方向の外側に、ダミー第２共通流路（第２端部流路）２４Ｄが存在すると、共通流路に第１端部流路３０の温度変動を伝わり難くできる。
【０１１４】
ダミー第２共通流路（第２端部流路）２４Ｄは、第２ダミー加圧室１０Ｄ２を介して、共通流路と繋がっているため、液体の流量のバランスがくずれないように、ダミー第２共通流路２４Ｄは、第２共通流路２４と流路抵抗をほぼ同じにするのが好ましい。ここで流路抵抗がほぼ同じとは、±３０％以内、さらに±２０％以内、特に±１０％以内のことである。
【０１１５】
第２ダミー加圧室１０Ｄ２の位置に、第１ダミー加圧室１０Ｄ１と同じ構造のダミー加圧室を設けてもよいが、そのようにするには、圧電アクチュエータ基板４０が、第２ダミー加圧室列１１ＡＤ２まで覆う大きさにする必要がある。第２ダミー加圧室１０Ｄ２を含むダミー個別流路の流路抵抗は、第１ダミー加圧室１０Ｄ１を含むダミー個別流路の流路抵抗と比較すれば、加圧室１０を含む個別流路の流路抵抗に近い値にする必要性は低い。そこで、第２ダミー加圧室本体１０ａＤ２を一層下のプレート４ｂに配置し、圧電アクチュエータ基板４０で塞ぐ代わりにプレート４ａで塞ぐようにする。このようにすれば、圧電アクチュエータ基板４０の大きさを小さくすることができる。
【０１１６】
なお、以上の実施形態では第１共通流路２０は、第２統合流路２６と直接繋がっておらず、第２共通流路２４は、第１統合流路２２と直接繋がっていないが、本発明は、このような形態に限定されない。すなわち、共通流路が、第１統合流路２２と第２統合流路２６とを直接繋いでいてもよい。
【０１１７】
図７は、本発明の他の実施形態の液体吐出ヘッド本体１０２ａの部分縦断面図であり、図５（ｂ）に相当する部分である。ヘッド本体１０２ａの基本的な構成は、図２〜図６に示したヘッド本体２ａと同じであり、差異が少ない部位については、同じ符号を付けて説明を省略する。
【０１１８】
ヘッド本体１０２ａでは、第２ダミー加圧室本体１１０Ｄ２ａは、プレート（加圧室プレート）４ａに形成された、下側、すなわち圧電アクチュエータ基板４０が積層されているのとは反対側に開口した溝と、その溝をほとんど塞いでいるプレート４ｃとで構成されている。プレート４ｃに塞がれていない部分は、第２ダミーディセンダ１１０Ｄ２ｂおよびダミー第１個別流路１１２Ｄに繋がっている。第２ダミー加圧室本体１１０Ｄ２ａは、プレート（加圧室プレート）４ａの下側に開口した溝で構成されており、プレート（加圧室プレート）４ａの上側には開口していないため、その上に圧電アクチュエータ基板４０を配置する必要はない。このような溝は、例えば、金属製のプレート４ａをハーフエッチィングすることで形成できる。
【０１１９】
ヘッド本体１０２ａの第２ダミー加圧室本体１１０Ｄ２ａは、ヘッド本体２ａの第２ダミー加圧室本体１０Ｄ２ａと同様に、加圧室１０の周囲の剛性の差を小さくし、共通流路に流れる流量の差を小さくすることができる。
【０１２０】
なお、以上の実施形態では、加圧室プレートやダミー加圧室プレートが１層のプレートで構成されているものを示したが、それら自体が複数のプレートを積層して構成されていてもよい。
【符号の説明】
【０１２１】
１・・・カラーインクジェットプリンタプリンタ
２・・・液体吐出ヘッド
２ａ、１０２ａ・・・ヘッド本体
４・・・第１流路部材
４ａ〜４ｌ・・・（第１流路部材の）プレート
４−１・・・加圧室面
４−２・・・吐出孔面
６・・・第２流路部材
６ａ、６ｂ・・・（第２流路部材の）プレート
６ｂａ、６ｂｂ・・・仕切り
６ｃ・・・（第２流路部材の）貫通孔
６ｃａ・・・貫通孔の拡幅部
８・・・吐出孔
９Ａ・・・吐出孔列
９Ｂ・・・吐出孔行
１０・・・加圧室
１０ａ・・・加圧室本体
１０ｂ・・・部分流路（ディセンダ）
１０Ｄ１・・・第１ダミー加圧室
１０Ｄ２、１１０Ｄ２・・・第２ダミー加圧室
１０Ｄ２ａ、１１０Ｄ２ａ・・・第２ダミー加圧室本体
１０Ｄ２ｂ、１１０Ｄ２ｂ・・・第２ダミー部分流路（ダミーディセンダ）
１１Ａ・・・加圧室列
１１Ｂ・・・加圧室行
１１Ｃ・・・加圧室群
１２・・・第１個別流路
１２Ｄ、１１２Ｄ・・・ダミー第１個別流路
１４・・・第２個別流路
１４Ｄ・・・ダミー第２個別流路
２０・・・第１共通流路
２０ａ・・・（第１共通流路の）開口
２２・・・第１統合流路
２２ａ・・・第１統合流路本体
２２ｂ・・・第１接続流路
２２ｃ、２２ｄ・・・（第１統合流路の）開口
２４・・・第２共通流路
２４ａ・・・（第２共通流路の）開口
２４Ｄ・・・ダミー第２共通流路（第２端部流路）
２６・・・第２統合流路
２６ａ・・・第２統合流路本体
２６ｂ・・・第２接続流路
２６ｃ、２６ｄ・・・（第２統合流路の）開口
２８Ａ・・・第１ダンパ
２８Ｂ・・・第２ダンパ
２８Ｃ・・・第３ダンパ
２９・・・ダンパ室
３０・・・第１端部流路
３０ａ・・・幅広部
３０ｂ・・・狭窄部
３０ｃ、３０ｄ・・・（第１端部流路の）開口
４０・・・圧電アクチュエータ基板
４０ａ・・・圧電セラミック層
４０ｂ・・・圧電セラミック層（振動板）
４２・・・共通電極
４４・・・個別電極
４４ａ・・・個別電極本体
４４ｂ・・・引出電極
４６・・・接続電極
５０・・・変位素子（加圧部）
７０・・・ヘッド搭載フレーム
７２・・・ヘッド群
８０Ａ・・・給紙ローラ
８０Ｂ・・・回収ローラ
８２Ａ・・・ガイドローラ
８２Ｂ・・・搬送ローラ
８８・・・制御部
Ｐ・・・印刷用紙
【要約】
【課題】  本発明の目的は、ダミー加圧室の信頼性を高くできる液体吐出ヘッド、およびそれを用いた記録装置を提供することにある。
【解決手段】
本発明の液体吐出ヘッドは、複数の吐出孔８、複数の加圧室１０、ダミー加圧室１０Ｄ２を有する流路部材４と、複数の加圧部５０を有する基板４０とを含んでいる液体吐出ヘッド２であって、流路部材４は、加圧室プレート４ａ、ダミー加圧室プレート４ｂおよびプレート４ｃ〜ｌが積層されており、加圧室プレート４ａは、孔を有し、当該孔の側面が加圧室１０の側面とされており、かつ当該孔の開口が加圧室開口とされており、ダミー加圧室プレート４ｂは、孔を有し、当該孔の側面がダミー加圧室１０Ｄ２の側面とされており、かつ当該孔の開口がダミー加圧室開口とされており、複数の前記加圧室開口は基板４０により塞がれており、前記ダミー加圧室開口は加圧室プレート４ａにより塞がれていることを特徴とする。
【選択図】  図５【図１】
0005981682.tif 000002
【図２】
0005981682.tif 000003
【図３】
0005981682.tif 000004
【図４】
0005981682.tif 000005
【図５】
0005981682.tif 000006
【図６】
0005981682.tif 000007
【図７】
0005981682.tif 000008